(57)【要約】【課題】湯水が浴槽載置部の下側の床パンに流入することを確実に防ぎ、清潔に保つことのできる浴槽エプロンの水返し構造を提供する。【解決手段】浴槽エプロン２と略同じ高さを有する水返し１であって、該水返し１はベース部１１と、このベース部１１の略中央部に平面視略Ｔ字型に浴室側に突出するように垂設された二次止水部１２と上記ベース部の洗い場側の端部を浴室側に折り曲げて形成された一次止水部１３とからなり、上記一次止水部１３と二次止水部１２とは軟質部材から構成されるとともに、浴室側壁Ｗと浴槽エプロン２との隙間に着脱自在に取り付けられる。【選択図】図１
2006055404.tif 000002
【特許請求の範囲】
【請求項１】
浴槽エプロンと略同じ高さを有する水返しであって、該水返しはベース部と、このベース部の略中央部に平面視略Ｔ字型に浴室側に突出するように垂設された二次止水部と上記ベース部の洗い場側の端部を浴室側に折り曲げて形成された一次止水部とからなり、上記一次止水部と二次止水部とは軟質部材から構成されるとともに、浴室側壁と浴槽エプロンとの隙間に着脱自在に取り付けられる浴槽エプロンの水返し構造。
【請求項２】
上記浴室側壁にブッシュを突設するとともに、上記ベース部に該ブッシュと着脱自在に係合する孔部が設けられた請求項１に記載の浴槽エプロンの水返し構造。
【請求項３】
上記二次止水部を浴槽載置部と洗い場部とを区画するせき部の洗い場側に位置するように設けるとともに、上記浴槽エプロンの端部が上記一次止水部と弾接するように取り付けられた請求項１に記載の浴槽エプロンの水返し構造。
【発明の詳細な説明】
【技術分野】
【０００１】
本発明は、浴槽エプロンの水返し構造に関する。さらに詳しくは、ユニットバス等の浴槽エプロンと浴室側壁との隙間に取り付けられる水返し構造に関する。
【背景技術】
【０００２】
例えば、ユニットバス等において浴室の浴槽載置部と洗い場部との間にせき部を設け、洗い場部で入浴者が使用した湯水や清掃時に使用した水等が浴槽載置部の下側に流入することを防ぎ、上記載置部の床パンを汚さないように配慮されている。
【特許文献１】実開平５−９３３７１号公報（第１頁、第１図）
【発明の開示】
【発明が解決しようとする課題】
【０００３】
さらに、床パン面を流れる湯水のみならず、飛散した湯水や泡沫等が浴槽載置部の下側に流入することを防ぐため、目隠しを兼ねて上記浴槽前面には浴槽エプロンが装着されている。しかしながら、上記浴槽エプロンと浴室側壁との間には僅かな隙間が残るため、この隙間から湯水が上記浴槽載置部の下側に流入し、滞留するため、カビ等が発生し、衛生的ではないという問題がある。本発明は、このような問題を解決するために考え出されたものであって、浴槽エプロンと浴室側壁との隙間から、湯水が流入することを確実に防ぎ、浴槽載置部の下側の床パンを清潔に保つことができる浴槽エプロンの水返し構造を提供することをその課題とする。
【課題を解決するための手段】
【０００４】
上記課題を解決するため、本発明においては、つぎのような技術的手段を講じている。すなわち、本発明によれば、浴槽エプロンと略同じ高さを有する水返しであって、該水返しはベース部と、このベース部の略中央部に平面視略Ｔ字型に浴室側に突出するように垂設された二次止水部と上記ベース部の洗い場側の端部を浴室側に折り曲げて形成された一次止水部とからなり、上記一次止水部と二次止水部とは軟質部材から構成されるとともに、浴室側壁と浴槽エプロンとの隙間に着脱自在に取り付けられる浴槽エプロンの水返し構造が提供される。上記軟質部材としては、例えば、ブチル系ゴム、ポリブタジエン系ゴム等の合成ゴムあるいは軟質プラスチックス等があげられる。
【０００５】
上記浴室側壁にブッシュを突設するとともに、上記ベース部には該ブッシュと着脱自在に係合する孔部が設けられることが好ましい。上記ブッシュはそのアンカー部が浴室側壁内に埋め込まれ、ブッシュが壁面から突出するように設けられることが好ましい。また、上記孔部は、通常、大小二つの孔が連なる、いわゆるダルマ孔が好適に用いられる。さらに、上記二次止水部を浴槽載置部と洗い場部とを区画するせき部の洗い場側に位置するように設けるとともに、上記浴槽エプロンの端部が軟質部材からなる一次止水部と弾接するように取り付けられることが好ましい。
【発明の効果】
【０００６】
請求項１に記載の発明は上記のとおりであり、浴室側壁と浴槽エプロンとの隙間に軟質部材から構成される一次止水部と二次止水部とを有する浴槽エプロンの水返し構造を、着脱自在に取り付けることにより、上記隙間から湯水が流入することを確実に防ぎ、浴槽載置部の下側の床パンを清潔に保つことができる。
【０００７】
また、上記浴室側壁にブッシュを突設するとともに、上記水返しのベース部には該ブッシュと係合する孔部が設けられ着脱自在とされているため、清掃等を行う場合は簡単に取り外すことが可能であり、メンテナンスを容易に行うことができる。
【０００８】
さらに、上記二次止水部を浴槽載置部と洗い場部とを区画するせき部の洗い場側に位置するように設けるとともに、上記浴槽エプロンの端部が上記一次止水部と弾接するように取り付けられるため、万一湯水が一次止水部から進入した場合においても、二次止水部で確実に止水することができる。
【発明を実施するための最良の形態】
【０００９】
以下、本発明の実施形態について図面を参照して、詳細に説明する。図１は、本発明にかかる浴槽エプロンの水返し構造の概略構成を示す一部透視斜視図である。図１において、水返し１は、いずれも仮想線で示す浴槽３の前面をカバーする浴槽エプロン２と略同じ高さを有し、浴槽エプロン２と浴室側壁Ｗとの隙間に着脱自在に取り付けられる。図１からよくわかるように、上記水返し１は、ベース部１１とこのベース部１１の略中央部に平面視略Ｔ字型に浴室側に突出するように垂設された二次止水部１２と上記ベース部１１の洗い場側の端部を浴室側に折り曲げて形成された一次止水部１３とからなり、上記一次止水部１３と二次止水部１２とは軟質部材から構成されている。また、上記ベース部１１の浴槽３側には、浴室側壁Ｗに突設された後記ブッシュと着脱自在に係合する孔部１４が設けられている。
【００１０】
以下、本発明の浴槽エプロンの水返し構造の取り付けについて図面を参照しながら説明する。図２（ａ）、（ｂ）は、上記水返し１を浴室側壁Ｗに突設されたブッシュ４に着脱自在に取り付ける方法を示す説明図である。上記孔部１４は大小二つの孔が連なる、いわゆるダルマ孔であり、図２（ａ）に示すように、まず、孔部１４の直径の大きい孔にブッシュ４を嵌め込む。このとき、二次止水部１２は浴室床パン５のせき部５１よりやや洗い場側に位置しているが、矢印の方向に水返し１を移動することにより、二次止水部１２はせき部５１に密着するとともに、図２（ｂ）に示すように、ブッシュ４は孔部１４の直径の小さい孔に相対移動し、水返し１はしっかりと取り付けられる。また、水返し１を取り外すときは、上記と逆の動作を行うことにより、簡単に取り外すことができる。
【００１１】
ついで、上記のようにして浴室側壁Ｗに取り付けられた水返し１の一次止水部１３に浴槽エプロン２の端部２１を押し付けながら、浴槽エプロン２自体を浴槽３の前面に取り付ける。かくして取り付けられた本発明にかかる浴槽エプロンの水返し構造の平断面図を図３に示す。図３からよくわかるように、軟質部材からなる一次止水部１３は、浴室側壁Ｗと浴槽エプロン２の端部２１との間に弾接されてしっかりと止水するとともに、上記したように、二次止水部１２がせき部５１に密着するため、万一、一次止水部１３が機能しないときでも、せき部５１を越えて水が進入することを防ぐ。図４は、浴室側壁Ｗと浴槽エプロン２との隙間に本発明の水返し構造を着脱自在に取り付けた状態を示す部分断斜視図である。図４から上記水返し構造がデザイン性よく、また、水仕舞いが良好に取り付けられていることが明らかである。
【図面の簡単な説明】
【００１２】
【図１】本発明にかかる浴槽エプロンの水返し構造の概略構成を示す一部透視斜視図である。
【図２】（ａ）孔部の直径の大きい孔にブッシュを嵌め込んだ状態を示す説明図である。（ｂ）ブッシュを孔部の直径の小さい孔に相対移動させた状態を示す説明図である。
【図３】浴室側壁と浴槽エプロンとの隙間に取り付けられた本発明にかかる浴槽エプロンの水返し構造を示す平断面図である。
【図４】浴室側壁と浴槽エプロンとの隙間に本発明の水返し構造を着脱自在に取り付けた状態を示す部分断斜視図である。
【符号の説明】
【００１３】
１          本発明にかかる水返し
１１        ベース部
１２        二次止水部
１３        一次止水部
１４        孔部
２          浴槽エプロン
２１        端部
３          浴槽
４          ブッシュ
５          浴槽床パン
５１        せき部
Ｗ          浴室側壁
【図１】
2006055404.tif 000003
【図２】
2006055404.tif 000004
【図３】
2006055404.tif 000005
【図４】
2006055404.tif 000006